(57)【要約】【課題】  使用者の手首を訓練することに加えて、発光部材を発光させ、また、携帯電子装置の充電またはその表示ランプを使用する電力を提供することのできる手動電子装置を提供すること。【解決手段】  半球状の形状であり、中空の空隙をその頂部に有する上部筐体と、下部筐体であって、半球状の形状であり、前記上部筐体と嵌合して収容空間を画定し、前記下部筐体の底に中空の空隙を有する下部筐体と、前記収容空間に配設され、少なくとも１個の永久磁石をその上に有する回転子と、前記回転子を支持し搭載するための固定スタンドと、前記回転子が往復回転するときに前記永久磁石が前記コイルを分割して電力供給を発生するコイルと、前記中空の空隙中に挿入され、少なくとも１個の開口をその外部周辺に有する中空のシリンダと、携帯電子装置を選択的に充電しかつ表示ランプを発光する印刷回路基板とを含むこと。【選択図】  図１
0003104423.tif 000002
【実用新案登録請求の範囲】
【請求項１】
半球状の形状であり、中空の空隙をその頂部に有する上部筐体と、
下部筐体であって、半球状の形状であり、前記上部筐体と嵌合して収容空間を画定し、前記下部筐体の底に中空の空隙を有する下部筐体と、
前記収容空間に配設され、前記収容空間中で往復回転することが可能であり、少なくとも１個の永久磁石をその上に有する回転子と、
前記回転子を支持し搭載するための固定スタンドと、
コイルであって、前記中空のシリンダ中に配設され、コアおよび複数のコイル状伝導性ワイヤを有し、前記伝導性ワイヤが前記コアを取り囲み、前記回転子が往復回転するときに前記永久磁石が前記コイルを分割して電力供給を発生するコイルと、
前記中空の空隙中に挿入され、少なくとも１個の開口をその外部周辺に有する中空のシリンダと、
前記コイルに結合し、前記中空のシリンダに配設され、前記電力供給を処理し、出力して、携帯電子装置を選択的に充電しかつ表示ランプを発光する印刷回路基板とを含むことを特徴とする手動電気発生装置。
【請求項２】
前記下部筐体が、内部円形溝と、中央の突起リングと、その頂部の外部円形溝とをさらに含むことを特徴とする請求項１に記載の手動電気発生装置。
【請求項３】
前記回転子が、錘と、中心の軸と、少なくとも１個の永久磁石とをさらに含み、前記中心軸が前記錘の中心を貫通し、前記永久磁石が前記錘の外側周辺の周りに互いに等距離で配設され、前記錘と、前記中心軸と、前記永久磁石とが非金属材料で被覆され、始動溝が前記回転子の周辺に配設され、少なくとも１個の始動軸孔が前記始動溝に配設されていることを特徴とする請求項１に記載の手動電気発生装置。
【請求項４】
前記固定スタンドが各端部に貫通孔を含み、前記中心軸の両端部が前記貫通孔をそれぞれ貫通し、次いで前記円形溝に配置されて前記回転子を支持し搭載することを特徴とする請求項１に記載の手動電気発生装置。
【請求項５】
前記永久磁石が、好ましくは同じ数であり、陽極と陰極が交互になる順序で配設され、その表面が円形弧状の形状であることを特徴とする請求項１に記載の手動電気発生装置。
【請求項６】
前記電力供給が、好ましくは交流電力供給であり、前記印刷回路基板によって逓減し整流された後に、電圧５〜８Ｖおよび数百ｍＡの電流の直流電力供給を出力して、前記携帯電子装置および前記表示ランプに電力を選択的に供給することを特徴とする請求項１に記載の手動電気発生装置。
【請求項７】
前記携帯電子装置が携帯電話、パーソナル・デジタル・アシスタント、ＭＰ３プレーヤの群から選択されることを特徴とする請求項１に記載の手動電気発生装置。
【請求項８】
前記表示ランプが高輝度ＬＥＤであることを特徴とする請求項１に記載の手動電気発生装置。
【請求項９】
前記錘が好ましくは亜鉛合金から作られ、前記中心軸が好ましくは金属から作られ、前記非金属被覆が好ましくはプラスチック射出成形部品であることを特徴とする請求項１に記載の手動電気発生装置。
【請求項１０】
前記中空シリンダが、その外側にワイヤ締結溝をさらに含むことを特徴とする請求項１に記載の手動電気発生装置。
【請求項１１】
前記中空シリンダがその外側に、スイッチと、ＤＣソケットと、カバーとをさらに含み、前記スイッチおよび前記ＤＣソケットが前記開口に配設され、前記印刷回路基板に結合されて、前記携帯電子装置を充電する電力を得ることを特徴とする請求項１に記載の手動電気発生装置。
【請求項１２】
前記両端の上部筐体がネジ孔をさらに含み、前記中央の突起リングが、前記ネジ孔に対応する位置に配設された耳部を含み、ネジ孔が、前記上部および下部筐体が嵌合されるときに、少なくとも１個のネジが前記ネジ孔を通過して前記上部および下部筐体を固定するように、前記耳孔に配設されることを特徴とする請求項１に記載の手動電気発生装置。
【請求項１３】
使用者の手が触れることによって前記回転子の回転が遅くなり停止することを防ぐために、ゴム材料から作られて、前記上部筐体の前記中空の空隙に挿入された保護カバーであって、前記保護カバーが、
円形の形状であり、前記上部および下部筐体を嵌合する保持効果を得るために、前記下部筐体の前記外部円形溝に正確に嵌合するサイズを有する保持部と、
円形の形状であり、前記保持部に結合され、前記上部筐体の前記中空の空隙に正確に嵌合するサイズを有し、その上に配設された円形溝が前記引っ張り紐を収容するために使用されるワイヤ収容溝と、
円形の形状であり、前記ワイヤ収容溝に結合され、前記引っ張り紐の紛失を防ぐために、前記ワイヤ収容溝に正確に挿入し被覆するワイヤ溝カバーとをさらに含む保護カバーをさらに含むことを特徴とする請求項２に記載の手動電気発生装置。
【考案の詳細な説明】
【技術分野】
【０００１】
本考案は手動電気発生装置に関し、より詳細には、電子装置の充電またはその表示ランプを使用するために電力を供給する効果に加え、手首の運動効果を有する手動電気発生装置に関する。
【背景技術】
【０００２】
最初に、「改善された旋回訓練装置（Ｉｍｐｒｏｖｅｄ  ｔｗｉｓｔ  ｔｒａｉｎｅｒ）」の名称の台湾国実用新案登録出願第８６２１２５６８号の図６を参照されたい。図６において、改善された旋回訓練装置７０は、ベース７１および上部筐体７２を含む球状中空シェル（ｓｈｅｌｌ）７３と、カウンタ８０と、中空シェル７３の内部に配設された水平リング７４と回転子７５とを含み、カウンタ８０がベース７１の底部に配設され、水平リング７４が球状中空シェル７３の内部に配設されて自由に回転し、回転子７５が水平軸によって旋回するように水平リング７４に結合され、円形溝７６が回転子７５上に配設され、複数の発光部材７７および磁石７８を有し、回転子７５が回転するときにカウンタ８０のセンサー・スイッチを通過することを特徴とする。永久磁石およびコイル（図には示されていない）を有する電気発生装置は、水平リング７４および回転子７５の間に配置されて、電力を発光部材に供給する。したがって、引っ張り紐９０は、回転子７５がシェル７３の内部で連続的に回転するように引っ張ることができ、回転力を使用者の手首の訓練のために使用し、また、その運転中に回転子７５上の発光部材を発光させる。同時に、カウンタ８０は回転子７５の回転数を検知して表示する。
【０００３】
さらに、「改善された旋回訓練装置」の名称の追加の台湾国実用新案登録出願第８６２１２５６８Ａ０１号は、回転子が回転子自体から突出した複数の円錐形端部を含み、円錐形端部が互いに軸の周りに等距離で配設され、電気発生装置が翼羽根を備えて、回転子が回転するときに、各円錐形端部が軸を取り囲み、電気発生装置が回転して熱放散のための空気流を生じることを特徴とする、改善された手首訓練装置を開示した。しかし、上記の手首訓練装置は、その回転中に発光部材を発光させる電力供給を発生することができるが、他の携帯電子装置を使用するための電力供給を出力することはできず、これは明らかに欠点である。
【考案の開示】
【考案が解決しようとする課題】
【０００４】
本考案の主な目的は、手動電気発生装置を提供することであり、より詳細には、使用者の手首を訓練することに加えて、発光部材を発光させ、また、携帯電子装置の充電またはその表示ランプを使用する電力を提供することのできる手動電子装置を提供することである。
【課題を解決するための手段】
【０００５】
本考案による手動電気発生装置は、半球体であり、主要本体の上部に中空の空隙を有する主要本体の上部筐体と、半球体であり、上部筐体と共に収容空間を画定し、主要本体の下部筐体の底に中空の空隙を有する主要本体の下部筐体と、収容空間に配設され、収容空間中で往復回転する、その上に少なくとも１個の永久磁石を有する回転子と、回転子を支持し搭載する支持枠と、中空シリンダ中に配設されてコアおよび複数のコイル状伝導性ワイヤを有するコイルであって、回転子が往復回転するときに、永久磁石がコイルを分割して電力供給を生じるように伝導性ワイヤがコアを取り囲んでいるコイルと、空隙に挿入されてその外部周辺に少なくとも１個の開口を有する中空シリンダと、コイルに結合して処理および電力供給を出力するために、中空シリンダ中に配設された印刷回路基板とを含み、それによって組み立て後、紐を引っ張ることを回転子の始動に用い、印刷回路基板から出力される電力供給が、携帯電子装置の充電または表示ランプの発光のための電力を供給することができる。
さらに、前記下部筐体が、内部円形溝と、中央の突起リングと、その頂部の外部円形溝とをさらに含むことが好適である。
又、前記回転子が、錘と、中心の軸と、少なくとも１個の永久磁石とをさらに含み、前記中心軸が前記錘の中心を貫通し、前記永久磁石が前記錘の外側周辺の周りに互いに等距離で配設され、前記錘と、前記中心軸と、前記永久磁石とが非金属材料で被覆され、始動溝が前記回転子の周辺に配設され、少なくとも１個の始動軸孔が前記始動溝に配設されていることが好適である。
又、前記固定スタンドが各端部に貫通孔を含み、前記中心軸の両端部が前記貫通孔をそれぞれ貫通し、次いで前記円形溝に配置されて前記回転子を支持し搭載することが好適である。
又、前記永久磁石が、好ましくは同じ数であり、陽極と陰極が交互になる順序で配設され、その表面が円形弧状の形状であることが好適である。
又、前記電力供給が、好ましくは交流電力供給であり、前記印刷回路基板によって逓減し整流された後に、電圧５〜８Ｖおよび数百ｍＡの電流の直流電力供給を出力して、前記携帯電子装置および前記表示ランプに電力を選択的に供給することが好適である。
又、前記携帯電子装置が携帯電話、パーソナル・デジタル・アシスタント、ＭＰ３プレーヤの群から選択されることが好適である。
又、前記表示ランプが高輝度ＬＥＤであることが好適である。
又、前記錘が好ましくは亜鉛合金から作られ、前記中心軸が好ましくは金属から作られ、前記非金属被覆が好ましくはプラスチック射出成形部品であることが好適である。
又、前記中空シリンダが、その外側にワイヤ締結溝をさらに含むことが好適である。
又、前記中空シリンダがその外側に、スイッチと、ＤＣソケットと、カバーとをさらに含み、前記スイッチおよび前記ＤＣソケットが前記開口に配設され、前記印刷回路基板に結合されて、前記携帯電子装置を充電する電力を得ることが好適である。
又、前記両端の上部筐体がネジ孔をさらに含み、前記中央の突起リングが、前記ネジ孔に対応する位置に配設された耳部を含み、ネジ孔が、前記上部および下部筐体が嵌合されるときに、少なくとも１個のネジが前記ネジ孔を通過して前記上部および下部筐体を固定するように、前記耳孔に配設されることが好適である。
又、使用者の手が触れることによって前記回転子の回転が遅くなり停止することを防ぐために、ゴム材料から作られて、前記上部筐体の前記中空の空隙に挿入された保護カバーであって、前記保護カバーが、
円形の形状であり、前記上部および下部筐体を嵌合する保持効果を得るために、前記下部筐体の前記外部円形溝に正確に嵌合するサイズを有する保持部と、
円形の形状であり、前記保持部に結合され、前記上部筐体の前記中空の空隙に正確に嵌合するサイズを有し、その上に配設された円形溝が前記引っ張り紐を収容するために使用されるワイヤ収容溝と、
円形の形状であり、前記ワイヤ収容溝に結合され、前記引っ張り紐の紛失を防ぐために、前記ワイヤ収容溝に正確に挿入し被覆するワイヤ溝カバーとをさらに含む保護カバーをさらに含むことが好適である。
【考案を実施するための最良の形態】
【０００６】
審査官が、本考案の目的、その構造、革新的な特徴、および性能をより容易に理解するように、付属図面と共に本考案の詳細な説明のための好ましい実施形態を用いる。
【０００７】
本考案による手動電気発生装置１のそれぞれ斜視図、展開図、断面図である図１〜３を参照されたい。図１において、本考案の手動電気発生装置１は主要本体の上部筐体１０と、主要本体の下部筐体２０と、回転子３０と、固定スタンド３５と、コイル４０と、中空シリンダ４５と、印刷回路５０とを含む。
【０００８】
図２において、本考案による主要本体の上部筐体１０は、半球状の形状であり、主要本体の上部筐体１０の頂部に配設された中空の空隙１１を有する。主要本体の下部筐体２０もまた半球状の形状であり、主要本体の上部筐体１０と共に回転子３０を収容する収容空間１５を画定し、主要本体の下部筐体２０の底に配設された中空の空隙２１および中空の空隙２１の中に配設される中空のシリンダ４５を有し、少なくとも１個の開口４６が中空シリンダ４５の外側に配設され、内部円形溝２３と、中央の突起リング２４と、外部円形溝２５とが主要本体の下部筐体２０の頂部に配設される。さらに、ネジ孔１３が主要本体の上部筐体１０の両側に配設され、耳部２６が中央の突起リング２４の両端の対応する位置に配設され、ネジ孔２７が各耳部２６に配設されて、主要本体の上部筐体１０が主要本体の下部筐体２０と結合されるときに、少なくとも１個のネジ１４がネジ孔１３と耳部２６を通過して、主要本体の上部筐体１０および下部筐体２０を固定する。
【０００９】
回転子３０は収容空間１５の中に配設され、収容空間１５の中で往復回転することが可能であり、錘３１（図３に示す）と、軸３２と、少なくとも１個の永久磁石３３とをさらに含み、錘３１は亜鉛合金から作られることが好ましく、軸３２は金属から作られることが好ましく、軸３２は錘３１の中心を貫通する。磁石３３は外部周辺を囲んで互いに等距離で配設され、永久磁石３３は陽極と陰極が交互になる順序で配設されることが好ましく、永久磁石３３の数は同じであることが好ましく、錘３１と、軸３２と、永久磁石３３とは非金属から作られ、プラスチック材料で被覆することが好ましく、始動溝３４は回転子３０の外部周辺に配設され、少なくとも１個の軸孔３４１が始動溝３４に配設される。
【００１０】
固定スタンド３５は回転子３０を支持し搭載するために使用され、各端部に貫通穴３６を有して、軸３２の両端が貫通孔３６をそれぞれ貫通し、内部の円形溝２３に配置されて回転子３０を支持し搭載する。中空シリンダ２１の中に配設されたコイル４０はコア４１および複数の伝導性ワイヤ４２を有し、伝導性ワイヤはコア４１を取り囲み、回転子３０が往復回転するときに永久磁石３３がコイル４０を分割して電力供給を生成するが、交流電力供給であることが好ましい。コイル４０に結合した印刷回路基板５０は、引っ張り紐６０を使用して回転子３０を始動するときに、印刷回路基板５０からの電力供給出力が、携帯電話、パーソナル・デジタル・アシスタント（ｐｅｒｓｏｎａｌ  ｄｉｇｉｔａｌ  ａｓｓｉｓｔａｎｔ）、またはＭＰ３プレーヤなどの携帯電子装置に供給されて、携帯電子装置を充電または表示ランプを発光する（図３に示す）ように、電力供給を処理し出力するための少なくとも１個の電子素子５０１を有する。
【００１１】
交流電力供給であることが好ましい電力供給は、印刷回路基板５０によって逓減および整流された後、携帯電子装置の充電または表示ランプの発光のために５〜８Ｖの電圧および数百ｍＡの電流を出力する。携帯電子装置は携帯電話、パーソナル・デジタル・アシスタント、またはＭＰ３プレーヤなどであることができ、表示ランプ５５２は電力を節約するために高輝度ＬＥＤであることができる。
【００１２】
再度図１を参照されたい。その外側部の中空シリンダ４５は、スイッチ４５１と、ＤＣソケット４５２と、カバー４５４とをさらに含む。スイッチ４５１およびＤＣソケット４５２は開口４６に分離して配設され、印刷回路基板５０と電気的に接続されている。さらに、一方の側のＤＣソケット４５２は、ワイヤ締結溝４５３を有し、スイッチ４５１は表示ランプ５５２の点灯・消灯に使用され、ＤＣソケットは携帯電子装置を充電する電力を得るために使用され、ワイヤ締結溝４５３は電線を固定した位置に保持するために携帯電子装置の電線を締結する。
【００１３】
保護カバーおよび本考案の手動電気発生装置と組み合わせた保護カバーの図４および５を参照されたい。図において、手動電気発生装置は、使用者の手が回転子３０に触れて回転子３０を遅くしまたは停止さえすることを防ぐために、好ましくはゴム材料から作られて、主要本体の上部筐体１０の中空の空隙１１に挿入された保護カバー６５をさらに含む。保護カバー６５は、主要本体の上部筐体１０と嵌合して保持効果を確保するために、主要本体の下部筐体２０の外部円形溝２５中に正確に嵌合するサイズの保持部６６をさらに含む。ワイヤを収容する溝６７は、円形の形状であり、保持部６６に接続され、主要本体の上部筐体１０の中空の空隙１１に正確に嵌合するサイズを有し、引っ張り紐６０を受容する円形溝６７１を有する。ワイヤ溝カバー６８は円形の形状であり、ワイヤ収容溝６７に接続され、引っ張り紐６０の紛失を防ぐためのワイヤ収容溝６７に正確に嵌合し被覆するサイズを有する。
【００１４】
本考案による行為の原理を以下に説明する。使用者は手動電気発生装置１を一方の手で保持し、引っ張り紐６０の硬い前端６１を引っ張り、硬い前端６１を他の手で始動軸孔３４１の中に挿入する。引っ張り紐６０が球体３０の円形溝３４の中にコイル状に巻かれるように、球体３０を使用者の指で中空の空隙１１中で回転させる。使用者の手首で生じた適切な回転と一緒に回転子３０の回転力が回転子３０を連続的に回転できるように、引っ張り紐６０を引っ張って回転子３０を回転させる。回転子３０上の永久磁石３３がコイル４０を通過すると、交流電力供給が発生する。交流電力供給を（図３に示すように）印刷回路基板５０の回路で逓減し、整流した後に、電圧５〜８Ｖおよび数百ｍＡの電流の直流電力供給がスイッチ４５１から出力されて、表示ランプ５５２を発光し、または電圧５〜８Ｖおよび数百ｍＡの電流の直流電力供給を使用して携帯電子装置を充電する。その使用の間または後に、中空の空隙１１は保護カバー６５で被覆され、引っ張り紐６０は円形溝６７１の中にコイル状に巻かれ、次いでワイヤを収容する溝６７は、使用者の手が回転子３０に触れて回転子３０を遅くしまたは停止することを防ぐため、また、引っ張り紐６０の紛失を防ぐために、ワイヤ溝カバー６８で被覆される。
【００１５】
本考案の実施によって、手動電気発生装置は、使用者の手首を訓練するだけでなく、携帯電子装置の充電および表示ランプを発光するための電力供給を発生する機能も有する。
【００１６】
上記の説明を要約すれば、本出願の考案は従来の構造よりも性能が向上し、さらに考案出願の必要条件に適うものであり、特許庁（Ｐａｔｅｎｔ  ａｎｄ  Ｔｒａｄｅｍａｒｋ  Ｏｆｆｉｃｅ）に、審査ならびに相応しい考案の権利の許可を申請するものである。
【図面の簡単な説明】
【００１７】
【図１】本考案の手動電気発生装置の斜視図である。
【図２】本考案の手動電気発生装置の展開図である。
【図３】本考案の手動電気発生装置の断面図である。
【図４】本考案の保護カバーの斜視図である。
【図５】本考案の手動電気発生装置に結合した保護カバーの斜視図である。
【図６】本考案の従来技術の手首訓練装置の斜視図である。
【符号の説明】
【００１８】
１  手動電気発生装置
１０  主要本体の上部筐体
１１  中空の空隙
１３、２７  ネジ孔
１４  ネジ
１５  収容空間
２０  主要本体の下部筐体
２１  空隙
２３  内部円形溝
２４  中央の突起リング
２５  外部円形溝
２６  耳部
３０、７５  回転子
３１  錘
３２  軸
３３  永久磁石
３４  始動溝
３５  固定スタンド
３６  貫通孔
４０  コイル
４１  コア
４２  伝導性ワイヤ
４５  中空シリンダ
４６  開口
５０  印刷回路基板
６０、９０  引っ張り紐
６１  硬い前端
６５  保護カバー
６６  保持部
６７  ワイヤ収容溝
６８  ワイヤ溝カバー
７０  旋回訓練装置
７１  ベース
７２  上部筐体
７３  球状中空シェル
８０  計数器
７４  水平リング
７６  円形溝
３４１  軸孔
４５１  スイッチ
４５２  ＤＣソケット
４５３  ワイヤ締結溝
４５４  カバー
５０１  電子素子
５５２  表示ランプ
６７１  円形溝
【図１】
0003104423.tif 000003
【図２】
0003104423.tif 000004
【図３】
0003104423.tif 000005
【図４】
0003104423.tif 000006
【図５】
0003104423.tif 000007
【図６】
0003104423.tif 000008